(57)【特許請求の範囲】
【請求項１】
玩具や収納箱体としての機能を有する相互に係合可能な連結ブロックが、連結ブロックの表面に設けられる円筒形突起と、連結ブロックの裏面に配置される複数の板状突片からなる係合部と、からなり、
複数の連結構造の異なる連結ブロックと係合可能となるように、前記係合部は、弾性力を持つ前記板状突片を略四角形に立設して形成し、略四角形の連続壁の各４辺の端部を互いに接合しないように四隅に間隙を設けるとともに、隣接する一方の前記係合部の板状突片と他方の前記係合部の板状突片を前記円筒形突起の直径よりやや小さい幅で隣り合わせて立設して形成し、
前記板状突片で形成した四角形が連結ブロック本体の辺と４５度変位した位置に複数配置されていることを特徴とする連結ブロック。
【請求項２】
玩具や収納箱体としての機能を有する相互に係合可能な連結ブロックが、連結ブロックの表面に設けられる円筒形突起と、連結ブロックの裏面に配置される複数の板状突片からなる係合部と、からなり、
複数の連結構造の異なる連結ブロックと係合可能となるように、前記係合部は、弾性力を持つ前記板状突片を壁状に四角形に立設して形成し、四角形の各４辺の端部を互いに接合しないように四隅に間隙を設けるとともに、
前記係合部の板状突片が連結ブロック本体の辺と４５度変位した位置に配置され、板状突片からなる各係合部が四角形の中心から略１６ｍｍの間隔で一列に、且つ、市松模様を構成するように四角形の中心から横方向に略８ｍｍであって縦方向に略８ｍｍ移動した位置に別の列を構成するように前記係合部を複数配置したことを特徴とする連結ブロック。
【請求項３】
前記表面に設けられる円筒形突起は、直径略５．０７ｍｍで高さ略１．７ｍｍであり、他の連結ブロックの裏面の係合部と係合できるように、円筒形突起の間隔を中心から縦横方向に略１６ｍｍの間隔で一列に設けられ、市松模様に配置されるように、横方向に略８ｍｍであって縦方向に略８ｍｍ移動した位置に別の列を構成するように前記円筒形突起を複数配置したことを特徴とする前記請求項１記載の連結ブロック。
【請求項４】
前記裏面に設けられる前記板状突片は、外表面に１または複数の半円柱凸状からなる嵌合足部を備え、該嵌合足部は、前記板状突片の垂直方向に突設していることを特徴とする前記請求項１記載の連結ブロック。
【発明の詳細な説明】
【技術分野】
【０００１】
本発明は、様々な形状に連結または積層させてコンパクトな収納または各種の造形が楽しめる構築型の連結ブロックに関し、特に結合形態または構造の異なる他の複数の連結ブロックも係合することができるフレキシブルな構造を持った連結ブロックに関する。
【背景技術】
【０００２】
従来から連結ブロックまたはブロック体を用いた玩具は広く一般に知られている。特に、レゴ社のレゴ（登録商標）ブロックやダイヤブロック（登録商標）が一般に良く知られているブロック玩具であり、組み合わせることにより様々な形状を作り出すことができるため、子供の発育上、想像力や思考力を高める玩具として宣伝され具体的な成果も認められ，重宝されてきた。
【０００３】
各社の連結ブロックは、それぞれのブロックの連結形状が若干異なって形成されている。例えば、レゴ（登録商標）ブロックとダイヤブロック（登録商標）とを相互に組み合わせることはできなかった。それぞれのブロックは、表面上部に円形の突起が複数個配置されており、下部には表面上部に配置される突起とうまく係合するような、凹状が設けられている形状となっている。各社が製造するブロックの表面に形成されている突起は、メーカー毎に形状が若干異なり、異なる会社製のブロック同士を組み合わせることは不可能であった。ブロックの接合の形態には様々なシステムや形状があって、各種のブロックが販売されているが、それぞれブロックの係合部分が異なるために、一種類のブロックだけを用いて組み立てなければならず、特定のブロックを購入すると、その他のブロックを連結できないので商品購買の選択肢が限られるとことになるという問題があった。
そこで、複数の会社の製品または、どのブロック玩具とも係合することができるような連結ブロックの開発が待たれていた。
【特許文献１】特表２００２−５３４２４０号
【発明の開示】
【発明が解決しようとする課題】
【０００４】
上記の問題を解決するために本発明の連結ブロックは、連結ブロックの裏面に設ける係合部を弾性のある板状片で４角に囲んで壁状に形成することにより、どの連結ブロックを用いても係合する事ができる連結ブロックを提供することを目的としている。
【課題を解決するための手段】
【０００５】
上記の目的を達成するために本発明の連結ブロックは、玩具や収納箱体としての機能を有する相互に係合可能な連結ブロックが、連結ブロックの表面に設けられる円筒形突起と、連結ブロックの裏面に配置される複数の板状突片からなる係合部と、からなり、複数の連結構造の異なる連結ブロックと係合可能となるように、前記係合部は、弾性力を持つ前記板状突片を略四角形に立設して形成し、略四角形の連続壁の各４辺の端部を互いに接合しないように四隅に間隙を設けるとともに、隣接する一方の前記係合部の板状突片と他方の前記係合部の板状突片を前記円筒形突起の直径よりやや小さい幅で隣り合わせて立設して形成し、前記板状突片で形成した四角形が連結ブロック本体の辺と４５度変位した位置に複数配置した構成である。
【０００６】
また、玩具や収納箱体としての機能を有する相互に係合可能な連結ブロックが、連結ブロックの表面に設けられる円筒形突起と、連結ブロックの裏面に配置される複数の板状突片からなる係合部と、からなり、複数の連結構造の異なる連結ブロックと係合可能となるように、前記係合部は、弾性力を持つ前記板状突片を壁状に四角形に立設して形成し、四角形の各４辺の端部を互いに接合しないように四隅に間隙を設けるとともに、前記係合部の板状突片が連結ブロック本体の辺と４５度変位した位置に配置され、板状突片からなる各係合部が四角形の中心から略１６ｍｍの間隔で一列に、且つ、市松模様を構成するように四角形の中心から横方向に略８ｍｍであって縦方向に略８ｍｍ移動した位置に別の列を構成するように前記係合部を複数配置した構成である。
【０００７】
また、ブロック表面に設けられる円筒形突起は、直径略５．０７ｍｍで高さ略１．７ｍｍであり、他の連結ブロックの裏面の係合部と係合できるように、円筒形突起の間隔を中心から縦横方向に略１６ｍｍの間隔で一列に設けられ、市松模様に配置されるように、横方向に略８ｍｍであって縦方向に略８ｍｍ移動した位置に別の列を構成するように前記円筒形突起を複数配置した構成でもある。
更に、前記裏面に設けられる前記板状突片は、外表面に１または複数の半円柱凸状からなる嵌合足部を備え、該嵌合足部は、前記板状突片の垂直方向に突設している構成でもある。
【発明の効果】
【０００８】
本発明の連結ブロックは上記詳述したような構成であるので以下のような効果を奏する、
１．連結ブロックの裏面に形成された係合部が凹部ではなく弾性力を持つ板状突片を隣接して立設した構成であるので、各種の形状の突起を持つ別の連結ブロックの突起でも確実に挟持して保持することが可能となった。
２．連結ブロックの裏面に形成された係合部が弾性力を持つ板状突片を４角に壁状に突設した構成であるので、どのような突起を持つ連結ブロックでも確実に保持することが可能となった。
３．連結ブロック表面に形成される突起の形状及び配列により、どの連結ブロックの裏面にも確実に係合させることが可能となる。
４．板状突片には半円柱状（かまぼこ型）の凸条が設けられているので、多少規格の異なる突部でも嵌合が容易となるという利点がある。
【発明を実施するための最良の形態】
【０００９】
以下に本発明に係る連結ブロックを図面に示す実施例に基づき詳細に説明する。図１は本発明の連結ブロックの横断面図であり、図２は連結ブロックの裏面となる底面図である。図３は連結ブロックの上面を示す平面図であり、図４は係合部と係合部が係合する状態を示した平面図である。図５は板状突片に半円柱状が突設された状態を示す平面図である。
本発明の連結ブロック１０は、玩具や収納箱体としての機能を有する相互に係合可能な連結ブロックであり、連結ブロック本体２０と、係合部３０と、突起４０とからなる。連結ブロックは、表面に設けられた突起を、他のブロックの裏面に立設された複数の係合部に嵌合して連結する構成である。
【００１０】
連結ブロック本体２０は、この実施例では直方体の箱型形状に形成されており、裏面には係合部３０が形成されている。また、上面には係合部に挟持される突起４０が形成されている。直方体の箱型は、物品を収納する容器として利することができる。また、小型の箱体は磁気ディスクの収納箱体とする事も可能である。この発明では、構造やピッチ（間隔）の異なる他の複数の連結ブロックと係合可能となるように工夫がされている。
【００１１】
本発明にかかる連結ブロックの係合部は、連結ブロックの裏面に配置される係合部を複数の板状突片で形成しており、隣接する板状突片との間に別の連結ブロックの表面に設けられる円筒形等の突起を挟持するように、ブロック表面の係止用の突起の幅よりやや小さい幅で隣接する略４角形の連続壁を構成する板状突片と隣り合わせて立設して形成している。
【００１２】
係合部３０は、連結ブロックの裏面に複数個配置されるもので、複数の板状突片３２を４角の壁状に立設して端部を互いに接しないように配置して四角形に形成している。板状突片３２の材質としては、可撓性があることが望ましいが、材質を特に限定するものではない。この種ブロックの素材として利用されている樹脂であれば問題はない。
図２で示すように、連結ブロック本体２０の辺２０ａと板状突片３２とは４５度変位した位置に配置されている。板状突片３２は、薄板状の部材で、端面が切り落とされて平面台形に形成されている。端面は切り落とされている必要はない。板状突片３２の端部は、隣接する板状突片３２の端部と接合しないように配置されている。
【００１３】
４枚の板状突片３２が４面を取り囲む形で４角の壁状を形成している。４枚の板状突片３２で取り囲まれた４角形は、各板状突片３２の端部が接合していないので、４隅にそれぞれ間隙が設けられた状態で開放されている。これにより、板状突片は隣接する板状突片と接合している状態より自由に撓むことが可能となり、ブロックのどのような規格の突起でも嵌合または嵌入挟持を可能にすることが可能となる。
また、係合する別の連結ブロックの係合突起は、この４角の壁状の中に嵌合するのではなく、隣接する４角の壁状の一辺との間に挟持される。
【００１４】
４角の壁状を形成した係合部３０と隣接する４角の壁状を形成した係合部との間には等間隔のスペースが空けられており、そのピッチは４角の壁状を形成した係合部の４角の中心から縦方向または横方向に略１６ｍｍの間隔に一列に設定されている。さらに略市松模様となるように、４角の壁状を形成した係合部の中心から横方向に略８ｍｍ移動し、さらに縦方向にも略８ｍｍ移動させた位置に、別の列として複数の係合部を同間隔で配置した構成である。
この構造とすることにより、販売されているどの連結ブロックでも、いずれかの係合部に嵌合し、係合させることが可能となる。
【００１５】
突起４０は、四角の壁状を形成した係合部の一辺と隣接する四角の壁状を形成した係合部の一辺との間に挟持される突起であり、連結ブロック本体２０の表面上部に形成される。この実施例の係合は、図４に示すような係合状態となる。この実施例では、直径略５．０７ｍｍで高さ略１．７ｍｍの円筒形突起が形成されている。ブロックのメーカーによって、多少の差があるので、表面突起の円筒の半径及び高さはこれに限定されない。
図２で示すように、他の連結ブロックの裏面と係合できるように、円筒形の突起同士の間隔が円筒形突起で形成した係合部の中心から縦方向に略１６ｍｍで横方向にも略１６ｍｍの間隔で設けられ、係合部の設けられていない間隙に略市松模様のように配置されるように、四角の壁状に形成された係合部の中心から略８ｍｍ横方向にずらした位置からさらに縦方向に略８ｍｍ移動した位置に同大同形状の係合部を一列に配置した構造である。この構造の突起４０であればいずれの連結ブロックにも係合できることが可能である。また、突起を市松模様に配置したことにより一般に販売されているどの連結ブロックも係合させることができ、別の形状の連結ブロックと、別の形状の連結ブロック同士をつなぎ合わせることが可能となる。
【００１６】
４角の壁状の係合部を構成する板状突片の外表面には、図５で示すように細いかまぼこ状の凸条の嵌合足部３６が１または複数本設けられている。嵌合足部３６は、半円柱凸状で突起４０を係合部にからなる嵌合足部は突片の立設する鉛直方向に突設されていて、係合を堅固なものとして確保する構成である。
【００１７】
図４は、本件発明の連結ブロックを係合させた状態を示す平面図である。図面に示すように、表面上部に形成される突起４０は、他の連結ブロックの裏面に形成されている係合部の板状突片３２ｄと板状突片３２ｆの間に嵌合挟持される構成となっている。
【００１８】
係合部３０は、４枚の板状突片３２ａ〜３２ｄからなるが、それぞれの板状突片は端部の四隅が接合していないため、若干弾力性を持つ。そのため、係合部３０と係合部３０との間よりも若干大きい突起４０が入ることにより、板状突片３２ｄと隣接する係合部の板状突片３２ｆとが両脇に押されて確固に嵌合させることが可能となっている。また、この実施例の板状突片３２は、図面で示すように断面テーパー状に形成しているため、どの大きさおよび高さの突起４０も嵌合させることが可能となっている。
【００１９】
また、この実施例の連結ブロック本体２０は、連結ブロック本体２０同士が多少の誤差があっても確実に嵌合し、連結ブロックの間に間隙が生じないように、表面上部の周縁を若干凹ませており、逆に裏面の周縁を凸とし、連結ブロック本体同士が確実に嵌合密着する構造としている。
【００２０】
本発明の連結ブロックにより、従来では組み合わせられなかった連結ブロックも、本発明の連結ブロックを介して組み合わせることが可能である。さらに、連結ブロックの形状を大きくして、内部を箱体とすることにより、組み合わせて連なる箱体を提供することも可能である。
【図面の簡単な説明】
【００２１】
【図１】本発明の連結ブロックの側面図である。図３はであり、図４は
【図２】連結ブロックの裏面を示す下部平面図
【図３】連結ブロックの上面を示す平面図
【図４】突起と係合部を係合させた状態の平断面図
【図５】板状突片に半円柱状が突設された状態の平面図
【符号の説明】
【００２２】
１０    連結ブロック
２０    連結ブロック本体
２０ａ  ブロック体側面
３０    係合部
３２    板状突片
３６    嵌合足部
４０    突起
【図１】
0004516543.tif 000002
【図２】
0004516543.tif 000003
【図３】
0004516543.tif 000004
【図４】
0004516543.tif 000005
【図５】
0004516543.tif 000006